(57)【特許請求の範囲】
【請求項１】
創傷ドレッシングシステムであって、
創傷部位に接触させ、または創傷部位を取り囲むべく構成されたラップと、
酸素触媒と、
酸素前駆体を有する易壊性アンプルとを含み、
前記ラップは、前記易壊性アンプルの周囲に同心円状に巻かれ、
前記酸素触媒及び前記酸素前駆体が、互いに組み合わせられたときに酸素を発生させるように構成されていることを特徴とするシステム。
【請求項２】
前記ラップが内側吸収層を含み、該内側吸収層が、前記ラップが前記創傷部位に適用されたときに前記創傷部位に隣接して配置されるように構成されていることを特徴とする請求項１に記載のシステム。
【請求項３】
前記ラップが外側保護層を含むことを特徴とする請求項１に記載のシステム。
【請求項４】
前記ラップが、弾性層、通気性バリア層、またはそれらの組合せを含むことを特徴とする請求項１に記載のシステム。
【請求項５】
前記ラップの一端部が粘着剤を含むことを特徴とする請求項１に記載のシステム。
【請求項６】
前記ラップが不織布複合材料であることを特徴とする請求項１に記載のシステム。
【請求項７】
前記ラップが前記酸素触媒を含むことを特徴とする請求項１に記載のシステム。
【請求項８】
前記酸素前駆体が過酸化物を含むことを特徴とする請求項１に記載のシステム。
【請求項９】
前記過酸化物が、過酸化水素、過酸化マンニトール、過酸化尿素、有機過酸化物、またはそれらの組合せを含むことを特徴とする請求項８に記載のシステム。
【請求項１０】
前記酸素触媒が、金属ナノ粒子、炭酸塩、銅化合物、カタラーゼ、ペルオキシダーゼ、二酸化マンガン、ヨウ化物、ヨウ化カリウム、またはそれらの組合せを含むことを特徴とする請求項１に記載のシステム。
【請求項１１】
前記金属ナノ粒子が銀ナノ粒子を含むことを特徴とする請求項１０に記載のシステム。
【請求項１２】
創傷ドレッシングシステムであって、
容器と、
前記容器内に配置されており、前記容器が作動状態にされたときに前記容器から創傷部位に撒布可能となる粉体と、
前記粉体から分離された状態で前記容器内に配置されており、かつ創傷部位に接触させ、または創傷部位を取り囲むべく構成されたラップと、
酸素触媒と、
前記容器内に配置され、酸素前駆体を含む液体を有し、該液体を前記容器の作動時に前記ラップに接触させるように構成された易壊性アンプルとを含み、
前記酸素触媒及び前記酸素前駆体が、互いに組み合わせられたときに酸素を発生させるように構成されていることを特徴とするシステム。
【請求項１３】
前記粉体が、止血薬、抗菌薬、生物毒素抑制薬、鎮痛薬、デブリードマン用薬、酸素触媒、またはそれらの組合せを含むことを特徴とする請求項１２に記載のシステム。
【請求項１４】
前記液体が、止血薬、抗菌薬、生物毒素抑制薬、鎮痛薬、デブリードマン用薬、またはそれらの組合せを含むことを特徴とする請求項１２に記載のシステム。
【請求項１５】
前記ラップが内側吸収層を含み、該内側吸収層が、前記ラップが前記創傷部位に適用されたときに前記創傷部位に隣接して配置されることになり、
前記ラップがさらに外側保護層を含むことを特徴とする請求項１２に記載のシステム。
【請求項１６】
前記ラップが、弾性層、通気性バリア層、またはそれらの組合せを含むことを特徴とする請求項１２に記載のシステム。
【請求項１７】
前記ラップの一端部が粘着剤を含むことを特徴とする請求項１２に記載のシステム。
【請求項１８】
前記ラップが不織布複合材料であることを特徴とする請求項１２に記載のシステム。
【請求項１９】
前記ラップが前記酸素触媒を含むことを特徴とする請求項１２に記載のシステム。
【請求項２０】
前記酸素前駆体が過酸化物を含むことを特徴とする請求項１２に記載のシステム。
【請求項２１】
前記過酸化物が、過酸化水素、過酸化マンニトール、過酸化尿素、または有機過酸化物であることを特徴とする請求項２０に記載のシステム。
【請求項２２】
前記酸素触媒が、金属ナノ粒子、炭酸塩、銅化合物、カタラーゼ、ペルオキシダーゼ、二酸化マンガン、ヨウ化物、ヨウ化カリウム、またはそれらの組合せを含むことを特徴とする請求項１２に記載のシステム。
【請求項２３】
前記金属ナノ粒子が銀ナノ粒子であることを特徴とする請求項２２に記載のシステム。
【発明の詳細な説明】
【技術分野】
【０００１】
関連出願
本願は、２０１４年１月２４日に出願された米国仮特許出願第６１／９３１，１６６号に基づく優先権を主張する。当該出願は、全文を引用することを以って本明細書の一部となす。
【背景技術】
【０００２】
創傷及び外科的切開部を治療、被覆、保護するために、創傷ドレッシング（創傷被覆材）及びサージカルドレッシングを用いることがよくある。創傷ドレッシング及びサージカルドレッシングは、様々な形態で提供されている。例えば、単純な切り傷には、通常は絆創膏を用いる。創傷及び外科的切開部を覆うためにコットンガーゼを用いることも多い。より重篤な創傷及び外科的切開部に対しては、ドレッシングからの滲出液の染み出しを防止するための流体不透過性層またはバックシートを備えた複数の繊維材料層を含む創傷ドレッシングやサージカルドレッシングを用いることができる。
【０００３】
通常は、創傷ドレッシングやサージカルドレッシングに手作業で医薬品を適用してから創傷及び外科的切開部に配置することが多い。医薬品とは、薬物または薬剤である。医薬品は、例えば、治癒を促進するための抗菌薬または抗生物質製剤を含み得る。感染症を防止するために消毒薬を適用することも多い。
【０００４】
しかし、重篤な外傷性損傷、例えば、爆風や重度の火傷、自然災害等が原因の肢損失などに対しては、外科治療が遠隔期または遠隔地でなされる場合には特に、周囲環境などの影響を受けにくいロバストな緊急の治療を行うことによって、破片によるさらなる雑菌混入を防止し、感染症を緩和し、体液を保持し、熱喪失を防止することが必要とされている。
【先行技術文献】
【特許文献】
【０００５】
【特許文献１】米国仮特許出願第６１／９３１，１８６号明細書
【特許文献２】米国特許出願公開第２００７／００４８３４４号公報
【特許文献３】米国特許出願公開第２００７／００４８３４５号公報
【特許文献４】米国特許出願公開第２００７／００４８３５６号公報
【特許文献５】米国特許出願公開第２００６／０１４０９９４号公報
【特許文献６】米国特許第８，２０３，０２９号明細書
【特許文献７】米国特許第８，５５１，５１７号明細書
【特許文献８】米国特許出願公開第２００６／０１４７５０２号公報
【特許文献９】米国特許出願公開第２００７／０１３４３０３号公報
【特許文献１０】米国特許出願公開第２００９／００１４００９号公報
【特許文献１１】米国特許出願公開第２００６／００６７９６４号公報
【特許文献１２】米国特許出願公開第２００９／００９９５３２号公報
【特許文献１３】米国特許出願公開第２００９／００９９５３１号公報
【特許文献１４】米国特許出願公開第２００７／０１４９４３５号公報
【特許文献１５】米国特許出願公開第２０１０／０１９０００４号公報
【特許文献１６】米国特許出願公開第２００７／００４４８０１号公報
【特許文献１７】米国特許出願公開第２００４／０１２０９１５号公報
【特許文献１８】米国特許出願公開第２００６／０００３６４９号公報
【特許文献１９】米国特許出願公開第２００６／００３６２２２号公報
【特許文献２０】米国特許出願公開第２００６／００３６２２３号公報
【特許文献２１】米国特許出願公開第２００７／０００３６０３号公報
【特許文献２２】米国特許出願公開第２０１２／０３２２９０３号公報
【特許文献２３】米国特許出願公開第２００２／０００６８８７号公報
【特許文献２４】米国特許出願公開第２００４／００１０２１５号公報
【特許文献２５】米国特許出願公開第２００７／０２９３８００号公報
【特許文献２６】米国特許出願公開第２００９／００３５３４２号公報
【特許文献２７】米国特許出願公開第２０１２／０１８３６７４号公報
【特許文献２８】米国特許出願公開第２００７／０２５４０４４号公報
【特許文献２９】米国特許出願公開第２０１３／０１６４３３４号公報
【特許文献３０】米国特許出願公開第２０１２／０２４０７２８号公報
【特許文献３１】米国特許第４，８５６，５０４号明細書
【特許文献３２】米国特許出願公開第２００２／００２２０５０号公報
【特許文献３３】米国特許出願公開第２００４／０１２０９２１号公報
【特許文献３４】米国特許第６，７９７，８５６号明細書
【特許文献３５】米国特許第６，０２０，０４７号明細書
【特許文献３６】米国特許出願公開第２００５／００５８７１１号公報
【特許文献３７】米国特許出願公開第２０１１／０１３５７０２号公報
【特許文献３８】米国特許出願公開第２００５／０１４８４９０号公報
【特許文献３９】米国特許出願公開第２００８／０１３２４３８号公報
【特許文献４０】米国特許出願公開第２００３／０２０３００９号公報
【特許文献４１】米国特許第５，５９９，５８５号明細書
【特許文献４２】米国特許第７，３３５，７１３号明細書
【特許文献４３】米国特許第６，８２２，１３５号明細書
【特許文献４４】米国特許第６，５５１，６０７号明細書
【特許文献４５】米国特許第６，５２１，２４１号明細書
【特許文献４６】米国特許第６，４８５，７３３号明細書
【特許文献４７】米国特許第６，５１７，８４８号明細書
【特許文献４８】米国特許第８，１１０，２１５号明細書
【特許文献４９】米国特許第７，２６８，１０４号明細書
【特許文献５０】米国特許第７，６６６，８２４号明細書
【特許文献５１】米国特許第８，５４５，９５１号明細書
【特許文献５２】米国特許第６，７６４，９８８号明細書
【特許文献５３】米国特許第８，４７５，５６０号明細書
【特許文献５４】米国特許第８，２９３，９６５号明細書
【特許文献５５】米国特許第７，６４２，３９７号明細書
【特許文献５６】米国特許第７，４２２，７１２号明細書
【特許文献５７】米国特許第５，０３０，３７５号明細書
【特許文献５８】米国特許出願公開第２００２／０１１１５７６号公報
【特許文献５９】米国特許出願公開第２００３／０１２７７６７号公報
【特許文献６０】米国特許出願公開第２００７／０１４１１３０号公報
【特許文献６１】米国特許第６，３４８，２５８号明細書
【特許文献６２】米国特許第４，７９８，６０３号明細書
【特許文献６３】米国特許第６，１７２，２７６号明細書
【特許文献６４】米国特許第６，６２７，５６４号明細書
【特許文献６５】米国特許出願公開第２００１／００３１９３８号公報
【特許文献６６】米国特許出願公開第２０１４／０２７６５１３号公報
【特許文献６７】米国特許第７，１６０，５５３号明細書
【特許文献６８】米国特許第８，６７９，５２３号明細書
【特許文献６９】米国特許第７，２３５，２６３号明細書
【特許文献７０】米国特許第６，８８７，４９６号明細書
【発明の概要】
【発明が解決しようとする課題】
【０００６】
したがって、目下のところ、創傷を安定化させかつ創傷の悪化を防止する創傷ドレッシングシステムが必要とされている。当該システムは、望ましい使用効果の中でも特に、環境に対するバリアの提供、細菌などの微生物の除去や成長防止、体液損失を食い止めるためのバリア及び／または吸収性の提供が可能である。
【課題を解決するための手段】
【０００７】
本明細書では、戦場で手や足を失ったり重度の火傷を負ったりした軍人に特に有用な、革新的な医療技術解決策について説明する。衛生兵や医療従事者が切断肢の手当及び保護のために現在利用できるのは、滅菌済ドレッシング、ガーゼラップ、伸縮包帯、及び場合によってはプラスチック製の食品用ラップフィルムに限定されている。これらのタイプのドレッシングは、外カバーを提供したり、ずたずたになった肢部の離散を防止したりすることができるが、治癒の促進や大事な組織の温存にはほとんど役に立たない。これらのドレッシングを使用する場合には、負傷者を治療施設へ搬送するためにしばしば掛かる長い時間（時には７２時間）と相まって、大隊の外科医や他の医療専門家が対処しなければならない感染症及び壊死組織の形でさらなる試練がもたらされる。本明細書に記載の外傷性創傷ドレッシングシステムは、損傷を受けた地点から初期治療施設まで、及び損傷場所からきちんとした病院までの長時間に及ぶ移送中において、速やかに治癒過程を促進するように設計されている。本明細書に記載の外傷性創傷ドレッシングシステムは、特に損傷後の「ゴールデンアワー」と呼ばれる期間中に、切断肢をできる限り保護するための止血帯と併用されるように設計されている。外傷性創傷ドレッシングシステムは、感染症を防止するための生物活性ラップと、組織を保護するための酸素富化流体と、痛みを和らげるための鎮痛薬とを含む。創傷ドレッシングシステムは、形状適応性を有する外部コンフォーマルカバーであって、創部を保護し、貴重な体液を封じ込め、熱喪失の防止を助け、移送中に衛生兵がラップ全体を取り外すことなく追加の医薬品を投与することを可能にするカバーを含む。今現在これらの特性が全て実現され得る単一デバイスは存在していないと考えられる。例えば、現在Ｍ９メディカルバッグに含まれている７つの異なるアイテムが個々に行っていることを、本発明の外傷性創傷ドレッシングシステムは単一ユニットとして行う。本システムは、複数のアイテムの必要性を低減し、最終的に個々の衛生兵が運ぶ必要がある荷を軽くする。その結果、衛生兵の荷の軽減、貴重な組織の損失の減少、及びより快適で安定した状態での患者の医療施設への搬送がもたらされる。
【０００８】
１つの特定の実施形態では、本発明は、創傷部位に接触させ、または創傷部位を取り囲むべく構成された医療用ラップに関し、該ラップは、酸素触媒と、酸素前駆体／反応物質を含む易壊性アンプルとを含み得る。酸素触媒及び酸素前駆体は、両者が混合されたときに酸素を発生するように構成されている。
【０００９】
別の実施形態では、ラップは内側吸収層を含むことができ、該内側吸収層は、ラップが創傷部位に適用されたときに創傷部位に隣接して配置されることになる。さらなる実施形態では、ラップは外側保護層を含むことができる。さらに別の実施形態では、ラップは、弾性層、通気性バリア層、またはそれらの組合せを含むことができる。さらなる実施形態では、ラップの一端部は粘着剤を含むことができる。さらに別の実施形態では、ラップに酸素触媒を取り入れることができる。さらに別の実施形態では、ラップは不織布複合材料であってよい。
【００１０】
さらに別の実施形態では、本発明で考慮される酸素前駆体は、過酸化物を含む。過酸化物は、過酸化水素、過酸化マンニトール、過酸化尿素、有機過酸化物、またはそれらの組合せを含むことができる。
【００１１】
さらなる実施形態では、酸素触媒は、金属ナノ粒子、炭酸塩、銅化合物、カタラーゼ、ペルオキシダーゼ、二酸化マンガン、ヨウ化物、ヨウ化カリウム、またはそれらの組合せを含むことができる。１つの特定の実施形態では、金属ナノ粒子は銀ナノ粒子を含むことができる。
【００１２】
別の実施形態では、本発明は創傷ドレッシングシステムに関する。本システムは、容器と、容器内に配置された粉体と（ここで、容器は、作動状態にされたときに、粉体を創傷部位に撒布するように構成されている）、容器内に配置されかつ粉体から分離されており、創傷部位に接触させ、または創傷部位を取り囲むべく構成されたラップと、酸素触媒と、容器内に配置され、酸素前駆体を含む液体を有する易壊性アンプルとを含み、液体は、容器の作動時にラップに接触するように構成されており、酸素触媒及び酸素前駆体は、両者が混合されたときに酸素を発生するように構成されている。さらなる実施形態では、ラップに酸素触媒を取り入れることができる。ラップは、アンプルの周りに同心円状に巻くことができる。
【００１３】
別の実施形態では、粉体は、止血薬、抗菌薬、生物毒素抑制薬、鎮痛薬、デブリードマン用薬（debridement agent）、酸素触媒、またはそれらの組合せを含むことができる。
【００１４】
さらに別の実施形態では、液体は、止血薬、抗菌薬、生物毒素抑制薬、鎮痛薬、デブリードマン用薬、またはそれらの組合せを含むことができる。
【００１５】
さらなる実施形態では、ラップは内側吸収層を含むことができ、内側吸収層は、ラップが創傷部位に適用されたときに創傷部位に隣接して配置されることになる。
【００１６】
さらなる実施形態では、ラップは外側保護層を含むことができる。さらに別の実施形態では、ラップは、弾性層、通気性バリア層、またはそれらの組合せを含むことができる。さらなる実施形態では、ラップの一端部は粘着剤を含むことができる。別の実施形態では、ラップは不織布複合材料であってよい。
【００１７】
さらに別の実施形態では、本発明で考慮される酸素前駆体は、過酸化物を含む。過酸化物は、過酸化水素、過酸化マンニトール、過酸化尿素、有機過酸化物、またはそれらの組合せを含むことができる。
【００１８】
さらなる実施形態では、酸素触媒は、銀ナノ粒子などの金属ナノ粒子、炭酸塩、銅化合物、カタラーゼ、ペルオキシダーゼ、二酸化マンガン、ヨウ化物、ヨウ化カリウム、またはそれらの組合せを含むことができる。
【００１９】
別の実施形態では、本発明は、創傷ドレッシングシステムを創傷部位に適用する方法に関する。創傷ドレッシングシステムは、酸素前駆体を含む生物活性粉体と、生物活性液体と、容器内に配置されかつ酸素触媒を含むラップとを含む。本方法は、容器を作動状態にすることによって、生物活性粉体を創傷部位に撒布しかつ前記容器の内部の易壊性アンプルを破壊して生物活性液体を撒布するステップと、十分な時間をかけて生物活性液体をラップに吸収させて、生物活性液体とラップとの接触によって酸素を発生させるステップと、創傷部位の周りにラップを巻き付けるステップとを含む。
【００２０】
本発明の他の特徴及び態様については、以下に詳細に説明する。
【００２１】
以下の説明、添付の特許請求の範囲及び添付の図面を参照することにより、本発明の前述及び他の特徴及び態様並びにそれらを実現する方法がより明らかになり、本発明自体もより良く理解されるであろう。
【００２２】
本明細書及び図面において符号を繰り返し用いるのは、本発明の同一または類似の特徴または構成要素を表すためである。図面は代表的なものであって、必ずしも一定の縮尺で描かれているわけではない。或る部分が誇張され、他の部分が小さく描かれている場合がある。
【図面の簡単な説明】
【００２３】
【図１】本発明で考慮される創傷ドレッシングシステムの一実施形態の写真のような分解斜視図を示す。
【図２（ａ）】本発明の創傷ドレッシングシステムの一連の使用ステップの１つを示す。
【図２（ｂ）】本発明の創傷ドレッシングシステムの一連の使用ステップの１つを示す。
【図２（ｃ）】本発明の創傷ドレッシングシステムの一連の使用ステップの１つを示す。
【図２（ｄ）】本発明の創傷ドレッシングシステムの一連の使用ステップの１つを示す。
【図２（ｅ）】本発明の創傷ドレッシングシステムの一連の使用ステップの１つを示す。
【図２（ｆ）】本発明の創傷ドレッシングシステムの一連の使用ステップの１つを示す。
【図２（ｇ）】本発明の創傷ドレッシングシステムの一連の使用ステップの１つを示す。
【図３】図１の創傷ドレッシングシステムの一部分であり得るラップの一実施形態を概略的に示す。
【図４】図１の創傷ドレッシングシステムで考慮される銀ナノ粒子を含浸させたラップに関連する酸素の発生を示す。
【図５】ポリアクリル酸ポリマーからの過酸化水素によって生じた酸素の放出を時間の関数として示す。
【図６】図１の創傷ドレッシングシステムで考慮される生物活性ラップの保護特性及び酸素発生特性を概略的に示す。
【発明を実施するための形態】
【００２４】
本明細書における本発明の説明が例示的な態様の説明に過ぎず、本発明のより広範な態様を制限する意図はないことを、当業者は理解すべきである。さらに、本明細書に記載または列挙されている特許及び特許出願は、本明細書と矛盾しない範囲で、引用を以って本明細書の一部となす。
【００２５】
本発明の創傷ドレッシングシステムは、複数の既知の効果的な活性成分及び創傷ドレッシング材料を一体化し、図１に示す小型で便利な安定したパッケージ内に治癒用酸素を加えた画期的なものである。現在のところ、重傷を負った肢部には、ガーゼを巻き、場合によってはプラスチック製ラップで覆う治療が行われている。これでは、細菌が蔓延可して組織が死滅するような環境が生じてしまう。これに対して、本明細書に記載の創傷ドレッシングシステムは、微生物の増殖を抑制する環境を提供するのみならず、酸素の存在によって組織の健康状態を促進する。創傷ドレッシングシステムは、不織布複合材料または任意の他の適切な材料の形態をとることができかつ損傷組織を保護する酸素富化流体を提供する生物活性ラップと、損傷組織を保護するため及び組織治癒を促進するための複数の他の医薬品及び薬物とを含む。ラップの保護特性及び酸素発生特性については、図６に概略的に示されており、詳細は後述する。通常、ラップは、保護用キャニスタやチューブなどの容器内に収容または格納されており、粉体は、キャニスタまたはチューブの内部の、またはキャニスタまたはチューブに取り付けられた、容器内またはコンパートメント／チャンバ内に配置されており、酸素を発生させる液体は、壊れやすくかつ粉体放出中に作動状態にすることが可能な一体化されたアンプルまたは他の格納容器内に収容されている。
【００２６】
図１に示されているように、商品としてパッケージ化されたとき、外傷性創傷ドレッシングシステム１００のラップ１０２は、ツイストキャップ１０５の付いたキャニスタ１０１などの容器の中に格納することができる。ラップ１０２の、粘着タブ１１３を有する部分を、キャニスタ１０１の外部に露出させてもよい。このようにして、キャニスタ１０１は、ユーザが創傷部位にラップ１０２を適用するのを助けるためのスプール（巻き筒）として機能し得る。キャニスタ１０１内には、キャニスタ１０１の外部に露出していないラップ１０２の残り部分に取り囲まれた、生物活性液体１１５を含むアンプル１０３が収容されている。創傷部位の周りにラップ１０２を適用する前に、キャニスタ１０１の中央のアンプル１０３に含まれる生物活性液体１１５をアンプルから供給することにより、アンプル１０３を取り囲んでいるラップ１０２に液体１１５を染み込ませることができる。粉体１１１を適用するためにキャニスタ１０１のツイストキャップ１０５を開けたときに、液体１１５を放出させることができる。液体１１５は、止血薬、抗菌薬、生物毒素抑制薬、鎮痛薬、デブリードマン用薬、酸素を発生させるための酸素前駆体（例えば、酸素触媒及び反応物質）などを含むことができる。
【００２７】
ラップ１０２は、アンプル１０３の周りに同心円状に巻くことができる。ラップ１０２は、創傷の滲出液を吸収することができ、かつ、圧迫を強化し、創傷部位を固定し、少量の出血を最小限に抑えるために、弾性特性を有している。さらに、ラップ１０２に酸素前駆体（例えば、銀ナノ粒子などの触媒）を含めるかまたはラップ１０２を酸素前駆体でコーティングすることにより、液体１１５に含まれる前駆体と協働して最終的に創傷部位に酸素を運搬するようにすることができる。一態様では、ラップ１０２は、長さが約１０フィート（３．１メートル）ないし約１５フィート（４．６メートル）、例えば約１２フィート（３．７メートル）、幅が約１インチ（２５．４ミリメートル）ないし約８インチ（２０３．１ミリメートル）、例えば約４インチ（１０１．６ミリメートル）であり得るが、ラップは任意の適切な長さ及び幅であってよいことを理解されたい。
【００２８】
液体含有アンプル１０３及びラップ１０２に加えて、外傷性創傷ドレッシング１００のキャニスタ１０１内には、生物活性粉体１１１（図２（ｂ）を参照）を格納することができる生物活性粉体容器１０４も収容されている。粉体容器１０４は、箔製密封パック（sealed foil pack）または任意の他の適切なコンパートメント／チャンバの形態をとることができる。さらに、キャニスタ１０１の一端に粉体ディスペンサ１０６を配置することができる。粉体ディスペンサ１０６は、シェイカー、ノズル、噴霧器の形態、または生物活性粉体１１１を供給するための任意の他の適切なメカニズムの形態をとることができる。生物活性粉体１１１は、最終的には、例えば、ツイストキャップ１０５を開けるときに粉体容器１０４の箔製密封パックを破壊することによって、創部や創傷部位に直接適用され得る。生物活性粉体１１１は、止血薬、抗菌薬、生物毒素抑制薬、鎮痛薬、デブリードマン用薬、酸素を発生させるための酸素触媒などを含むことができる。
【００２９】
創部の周りの所定位置に配置されたとき、外傷性創傷ドレッシングシステム１００には、生物活性粉体１１１と、アンプル１０３内に格納された生物活性液体１１５と、ラップ１０２とが含まれているが、キャニスタ１０１、アンプル１０３、粉体容器１０４、ツイストキャップ１０５及び粉体ディスペンサ１０６は廃棄されることを理解されたい。創傷部位及び／または創傷部位を取り囲む皮膚に創傷ドレッシングシステムが適用されたときに生物活性原料の必要な活性を確保する方法により生物活性原料を格納することに、設計の重点が置かれている。したがって、箔または任意の他の適切な手段を用いて密封することができる粉体容器１０４または他の適切なコンパートメント／チャンバ内に保護される生物活性粉体１１１として、乾燥した原料を製造することができる。その一方で、箔アンプル１０３または他の適切な格納容器内に、液体原料が保護されている。上記したように、使用時に、キャニスタ１０１のキャップ１０５を開けることによって、粉体容器１０４及びアンプル１０３の両者を開封することができる。ラップ１０２は、その包装された形態で、ラップキャニスタ内のアンプル１０３の周りに同心円状の層をなして配置されることができ、かつアンプル１０３の破壊時に生物活性液体１１５を素早く吸収するように設計可能である。通常は、約１分未満、例えば約３０秒未満、例えば約１５秒未満で、生物活性液体１１５を吸収することができる。ラップ１０２はまた、圧迫を与えるのに十分で、創傷部位に適用されたら損傷領域を固定するのを助けるのに十分な弾性を有することができる。キャニスタ１０１、そこに含まれるツイストキャップ１０５、粉体ディスペンサ１０６、及び他の構成要素は、プラスチック、ゴム、金属、または任意の他の適切な材料から製造することができる。
【００３０】
図６に示されているように、外傷性創傷ドレッシングシステムが使用されて創傷部位２００に適用されたら、創傷部位２００の周りにおける生物活性粉体１１１のコーティング及びラップ１０２の適用の組合せが、創部内への微生物１１２または他の汚染物質の取り込みを防止するかまたは減少させるためのバリアを提供し、損傷組織を保護することができる酸素富化流体も提供する。使用時に、創傷ドレッシングシステムは、救護所においてケアが提供されたら創傷部位のデブリードマンを促進するための中性界面活性剤システムや、止血薬、生物毒素抑制薬、広域抗菌薬、鎮痛薬、圧迫、創傷の滲出液吸収性を提供することもできる。
【００３１】
本発明のこの外傷性創傷ドレッシングシステム１００の１つの使用例では、戦域（すなわち、軍事作戦の大部分）において、重度の肢損傷（例えば、裂離、切断、裂傷、複雑骨折、重度の熱傷、脱手袋及び／または重度の擦り傷）が発生する。ユーザ（例えば、衛生兵、第一対応者など）はそのとき、自身のキットから本発明の軽量でコンパクトな外傷性創傷ドレッシングシステムを取り出すことができる。ユーザは次に、創部を評価して創傷ドレッシングシステムのどの構成要素が必要かを判断することができ、その後、図２（ａ）〜図２（ｇ）に示されているような後述する創傷ドレッシングシステム１００の様々な構成要素を適用することができる。
【００３２】
先ず、図２（ａ）に示されているように、ユーザが外傷性創傷ドレッシングシステム１００をその保護包装から取り出し終えた後、ユーザは、キャニスタ１０１を手に持ち、ツイストキャップ１０５を開けることによって生物活性粉体容器１０４の内部に含まれている粉体１１１（図２（ｂ）を参照）を露出させることができる。例えば、ツイストキャップ１０５を開ける動作により、使用前に生物活性粉体を保護する粉体容器１０４の箔シールが剥がされて開封される。また、ツイストキャップ１０５を開ける動作により、キャニスタ１０１の内部に位置するアンプル１０３が割られ、それによって、酸素を発生させる成分（例えば、過酸化物などの反応物質）を含む生物活性液体１１５が、キャニスタ１０１の内部で、アンプル１０３の周りに同心円状に巻き付けられたラップ１０２の部分に染み込む。
【００３３】
次に、図２（ｂ）に示されているように、ユーザは、キャニスタ１０１を握るかまたは圧迫することによってキャニスタ１０１を作動状態にし、したがって粉体１１１を制御しながら創傷部位に分布させることができる。粉体１１１は、酸素を発生させるために用いられる酸素触媒と、損傷組織を治療し、感染症を回避し、さらなる組織の損傷を防止するための止血及び抗菌成分とを含むことができる。キャニスタ１０１を作動状態にするための握る動作によってアンプル１０３を破壊することもでき、それによって、キャニスタ１０１の内部で、ラップ１０２に生物活性液体１１５を染み込ませるかまたはラップ１０２を生物活性液体１１５でコーティングすることができる。
【００３４】
次に、図２（ｃ）〜図２（ｆ）に示されているように、生物活性液体１１５を染み込ませたラップ１０２を創部の周りに巻き付けることができる。ラップ１０２において使用前にキャニスタ１０１の外部に位置する部分に設けられた粘着性細長片１１３を用いて、最初に創傷部位に近い健常組織上の適所にラップを保持することにより、創傷部位の周りにラップ１０２を巻き付けることを容易にすることができる。その一方で、ラップ１０２の反対端に設けられたロールオーバ部１１４は、創傷の端部を覆う追加的なカバーを提供することができる。生物活性液体１１５が染み込んだラップ１０２は、圧迫を与え、損傷領域を固定するのを助け、少量の出血を最小限に抑える。さらに、生物活性液体１１５は、酸素、止血薬及び抗菌薬成分を創傷部位に提供することができる。
【００３５】
最後に、図２（ｇ）に示されているように、創傷部位への適切な巻き付け後に、外傷性創傷ドレッシングシステム１００のラップ１０２の上にコンフォーマルカバー３００を被せることができる。コンフォーマルカバー３００を開いたら、それを創傷部位（例えば、切断肢の断端部）の上に配置することができ、その後、そのシンチストラップ３０１を引っ張ることにより、コンフォーマルカバー３００を創傷部位の周りに固定することができる。多目的コンフォーマルカバー３００は、野外環境下で創傷部位を保護することができ、搬送中に創傷部位を安定化させて保護するために、創部から過剰な体液を取り除くための、または生物活性液体または流体などを創傷部位に注入するためのポートを提供することもできる。カバーに不可欠なのは、生物活性液体及び他の薬剤を創部に対して最大７２時間にわたって供給するための手動ポンプ及び内部分配毛細管である。
【００３６】
戦場における創傷の手当ては、主として夜間に行われるか、無秩序状態で行われるか、またはその両方であることに留意されたい。複数の別々のアイテムが含まれている現行のシステムは、迅速なアクセスのために地面に乱雑に落とされたり不潔な環境でスプレーされたりしがちである。本発明の創傷ドレッシングシステムの除去はガーゼと同様であり、ラップは単回使用のみで使用後に廃棄される。本発明の生物活性ラップは、２０１４年１月２４日に出願された同時係属中の米国仮特許出願第６１／９３１，１８６号明細書（特許文献１）に記載されている多目的コンフォーマルカバーと別々に用いても併用してもよいことにも留意されたい。生物活性ラップ１０２及びコンフォーマルカバー３００は、使用目的に応じて、それぞれ個別包装するかまたは一括包装することができる。
【００３７】
本発明の外傷性創傷ドレッシングシステムの生物活性粉体、液体及びラップ構成要素について、以下に詳細に説明する。
【００３８】
１．粉体
生物活性粉体は、創部に直接適用することができ、抗菌薬、止血薬、生物毒素抑制薬、鎮痛薬、デブリードマン用薬、及び酸素触媒、例えば、金属ナノ粒子（例えば銀ナノ粒子）、炭酸塩（例えば重炭酸ナトリウム）、銅化合物、カタラーゼ、ペルオキシダーゼ、二酸化マンガン、ヨウ化物、ヨウ化カリウムなどうちの１つ以上を含むことができる。生物活性原料を生体適合性担体に取り入れるか、生体適合性担体と一体化させるか、生体適合性担体に加えることができ、かつ生体適合性担体自体に生物活性特性を持たせることができる。
【００３９】
生物活性粉体組成物は、損傷組織を治療して安定化させ、出血を止め、感染症を回避し、生物毒素を中和し、後で創傷部位の迅速かつ完全なデブリードマンを可能にすることができる。粉体は、ほとんどの創傷の形状及び深さに適用できる点と、創傷の滲出液を吸収し、創面上にハイドロゲルシールを形成することによって、フレキシブルなバリアとしてすぐに機能し始める点とにおいて、比類なく有益である。結果として得られるハイドロゲルは、創面における良好な湿潤バランスを維持することもできる。ハイドロゲル粉体は、抗菌薬及び／または他の、創傷保護及び治癒のための生物活性物質を創傷部位に運搬することもできる。さらに、ハイドロゲル粉体は、生理食塩水により創傷領域をそっと洗浄することによって容易に除去することができる。生物活性粉体に含まれ得る活性薬剤は、表１に示しかつ以下に詳細に説明するような、抗菌薬、止血薬、生物毒素抑制薬、鎮痛薬、及びデブリードマン用薬を含む。
【表１】
0006554474.tif 000002
【００４０】
ａ．抗菌薬
本発明の外傷性創傷ドレッシングシステムで用いるために、任意の適切な抗菌薬が考えられる。抗菌薬の使用については、以下の文献にさらに実証されかつ説明されており、これらの文献は全て、本明細書と矛盾しない範囲で、引用を以って本明細書の一部となす：米国特許出願公開第２００７／００４８３４４号公報（特許文献２）、米国特許出願公開第２００７／００４８３４５号公報（特許文献３）、米国特許出願公開第２００７／００４８３５６号公報（特許文献４）、米国特許出願公開第２００６／０１４０９９４号公報（特許文献５）、米国特許第８，２０３，０２９号明細書（特許文献６）、及び米国特許第８，５５１，５１７号明細書（特許文献７）。本発明で考慮される特定の抗菌薬については、以下に詳細に説明する。
【００４１】
ポリヘキサメチレンビグアナイド（ＰＨＭＢ）
本発明の外傷性創傷ドレッシングシステムで使用することが考えられる１つの抗菌薬は、ポリヘキサメチレンビグアナイド（ＰＨＭＢ）である。ＰＨＭＢ（すなわち、ポリヘキサニド）は、化粧品、例えば、コンタクトレンズ洗浄液、おしぼりなどに使用されてきた長い歴史があるが、創傷ケア用途に使用可能な消毒薬である。ＰＨＭＢは、洗浄液（ビー・ブラウン社製ＰＲＯＮＴＯＳＡＮ（登録商標））としても、ＳＵＰＲＡＳＯＲＢ（登録商標）Ｘ＋ＰＨＭＢ（ローマン＆ラウシャー社製）などのバイオセルロースドレッシングにおいても利用可能である。濃度０．３％（例えば、ＳＵＰＲＡＳＯＲＢ（登録商標）Ｘ＋ＰＨＭＢにおいて）及び濃度０．１％（例えば、ＰＲＯＮＴＯＳＡＮ（登録商標）において）で、ＰＨＭＢは、非細胞毒性及び非刺激性であって、感作のリスクが非常に低いことが示された。ＰＨＭＢは、広範囲の好気性及び嫌気性の細菌に対して、さらには、菌類、カビ、及び酵母に対しても効果的であることが分かっており、メチシリン耐性黄色ブドウ球菌（ＭＲＳＡ）及びバンコマイシン耐性腸球菌（ＶＲＥ）に対する効果が証明されている。
【００４２】
黄色ブドウ球菌に対する試験を行い、この細菌がＰＨＭＢ耐性を生じる潜在的リスクを調べたところ、リスクは非常に低いことが分かった。特に感染創や臨界的定着創（クリティカルコロナイゼーション状態の創）においては、創傷治癒の炎症過程に及ぼすさらなる良い影響は、ＰＨＭＢの抗酸化能を示すような、フリーラジカルなどの炎症パラメータの結合であった。いくつかの治癒していない創傷にＰＨＭＢを用いることの臨床効果は、有望であった。
【００４３】
ＰＨＭＢは、疎水性主鎖に対してそれを非常に水に溶けやすくする鎖が付加されてなる線形ポリマーである。ＰＨＭＢは、グラム陰性及びグラム陽性細菌に対しても菌類に対しても活性を有する。この活性は、通常、微生物によるβ-ラクタマーゼの産生、あるいは、血清、血液、または創傷液などの有機物の影響を受けない。ＰＨＭＢを含むガーゼ包帯を用いた種々の研究において、ＰＨＭＢの広範囲の活性が示されている。ＰＨＭＢは膜作用性薬物であり、その抗菌効果は、微生物の細胞膜の破壊及び高分子成分の漏出によって決まる。分子は、細菌の細胞膜の表面に結合して、抗菌薬が除かれるのを防止する形で細胞膜の再編成を引き起こす。この作用機序は、微生物が耐性を獲得する可能性を低下させる。
【００４４】
種々の研究において、痛みを伴う、臨界的定着創（感染への移行の恐れがある創）または局所的感染創における、ポリヘキサニド含有バイオセルロース創傷ドレッシング（ＢＷＤ＋ＰＨＭＢ）による治療及び銀ドレッシング（Ａｇ）による治療の比較がなされている。ＢＷＤ＋ＰＨＭＢ及びＡＧはいずれも、痛み及び細菌の創部への負担の低減に有効であることが示された。しかし、ＢＷＤ＋ＰＨＭＢの方が、臨界的な細菌負荷の除去において著しく早くかつ良好であったので、ポリヘキサニド含有バイオセルロースドレッシングは、銀とは別に、または銀と併用して、臨界的定着創及び局所的感染創を治療するための魅力的な治療オプションである。
【００４５】
抗菌薬としてのＰＨＭＢの使用については、以下の文献にさらに実証されかつ説明されており、これらの文献は全て、本明細書と矛盾しない範囲で、引用を以って本明細書の一部となす：米国特許出願公開第２００７／００４８３４４号公報（特許文献２）、米国特許出願公開第２００７／００４８３４５号公報（特許文献３）、米国特許出願公開第２００７／００４８３５６号公報（特許文献４）、米国特許出願公開第２００６／０１４７５０２号公報（特許文献８）、米国特許出願公開第２００７／０１３４３０３号公報（特許文献９）、米国特許出願公開第２００９／００１４００９号公報（特許文献１０）、米国特許出願公開第２００６／００６７９６４号公報（特許文献１１）、米国特許出願公開第２００９／００９９５３２号公報（特許文献１２）、米国特許出願公開第２００９／００９９５３１号公報（特許文献１３）、米国特許出願公開第２００７／０１４９４３５号公報（特許文献１４）、米国特許出願公開第２０１０／０１９０００４号公報（特許文献１５）、米国特許出願公開第２００７／００４４８０１号公報（特許文献１６）、及び米国特許出願公開第２００６／０１４０９９４号公報（特許文献５）。
【００４６】
クロルヘキシジン
本発明の外傷性創傷ドレッシングシステムでの使用が考えられる別の抗菌薬または消毒薬は、ビグアニド消毒薬であるクロルヘキシジンである。クロルヘキシジンは、消毒剤及び消毒薬溶液によく用いられてきた。クロルヘキシジン消毒薬溶液は、主として泌尿器科、婦人科、歯科において、及び創傷の治療において用いられる。これは殺菌性が高い。創傷洗浄用に約０．０２％の濃度を用いることができる。他の研究では、クロルヘキシジンは創傷治癒時間を減少させることを示していた。クロルヘキシジン含有リンスもまた、術中に施行した場合には微生物の合併症を減少させるのに効果的であることを示していた。クロルヘキシジンは、２つの形態で、すなわち、創清浄用の０．０５％希釈液と、術前皮膚消毒液及びハンドスクラブとして用いるための４％溶液とが作製される。最近になって、術前皮膚消毒用に２％溶液が利用可能になった。
【００４７】
グルコン酸クロルヘキシジン（ＣＨＧ）は、臨床現場で３０年以上用いられてきた。ＣＨＧは、高レベルの抗菌活性と、低い毒性と、皮膚及び粘膜への結合のための強い親和性とを有している。ＣＨＧは、その抗菌活性を膜レベルで与え、細菌内膜及び外膜の両者を損傷し、漏出を生じさせ、場合により、ＡＴＰ生成に重要な膜電位を喪失させることができる。ＣＨＧは、微生物の細胞膜を崩壊させ、細胞内容物を沈殿させる。ＣＨＧは、０．５〜４％の濃度では、グラム陰性細菌よりもグラム陽性細菌に対して効果的であり、菌類及び結核菌に対する活性がより低い。ＣＨＧは、高温時を除いて、細菌胞子に対して不活性であった。数々の研究は、ＣＨＧが皮膚を通して吸収されずかつ皮膚刺激能が低いことを示している。しかし、目、中耳、または髄膜へのＣＨＧの適用は禁忌である。
【００４８】
抗菌薬としてのＣＨＧの使用については、以下の文献にさらに実証されかつ説明されており、これらの文献は全て、本明細書と矛盾しない範囲で、引用を以って本明細書の一部となす：米国特許出願公開第２００７／００４８３４５号公報（特許文献３）、米国特許出願公開第２００４／０１２０９１５号公報（特許文献１７）、米国特許出願公開第２００６／０００３６４９号公報（特許文献１８）、米国特許出願公開第２００６／００３６２２２号公報（特許文献１９）、米国特許出願公開第２００６／００３６２２３号公報（特許文献２０）、及び米国特許出願公開第２００６／０１４０９９４号公報（特許文献５）。
【００４９】
銀
本発明の外傷性創傷ドレッシングシステムでの使用が考えられる別の抗菌薬は、銀である。治療における銀の潜在力は長い間認識されていた。銀の広範な殺菌作用と、細菌レベルが特定の閾値を超えると創傷治癒が妨げられるという理解とにより、創傷治癒を助けるために銀をベースにした製品が多数開発されてきた。そのような製品には、銀を含む塗り薬（テネシー州ブリストルに本社を置くキング・ファーマシューティカル社製スルファジアジン銀Ｓｉｌｖａｄｅｎｅ）や、様々な種類の銀含有ドレッシング、例えば、フォームドレッシング（ジョージア州マリエッタに本社を置くコロプラスト社製Ｃｏｎｔｒｅｅｔ  Ａｇ）、ハイドロコロイドドレッシング（コロプラスト社製Ｃｏｎｔｒｅｅｔ  Ｈ）、ハイドロファイバドレッシング（ニュージャージー州スキルマンに本社を置くコンバテック社製アクアセル（登録商標）Ａｇ）、アルギン酸塩ドレッシング（マサチューセッツ州クインシーに本社を置くシスタジェニックス社製ＳＩＬＶＥＲＣＥＬ（登録商標））、フィルムポリマードレッシング（イリノイ州マンデレインに本社を置くメドライン社製ＡＲＧＬＡＥＳ（登録商標））、またはナノ結晶銀を含むポリエチレンメッシュタイプのドレッシング（英国ハル市に本社を置くスミス・アンド・ネフュー社製ＡＣＴＩＣＯＡＴ（登録商標）フレックス７）が含まれる。これらの製品は、反応性銀陽イオン［Ａｇ＋］の放出によって機能し、それによって、細胞の細胞壁の成分を崩壊させ、電子伝達系の微生物の呼吸酵素及び要素を阻害し、ＤＮＡ及びＲＮＡの合成及び機能を低下させ得る。
【００５０】
抗菌薬としての銀の使用については、以下の文献にさらに実証されかつ説明されており、これらの文献は全て、本明細書と矛盾しない範囲で、引用を以って本明細書の一部となす：米国特許出願公開第２００７／０００３６０３号公報（特許文献２１）、米国特許出願公開第２０１２／０３２２９０３号公報（特許文献２２）、米国特許出願公開第２００２／０００６８８７号公報（特許文献２３）、米国特許出願公開第２００４／００１０２１５号公報（特許文献２４）、米国特許出願公開第２００７／０２９３８００号公報（特許文献２５）、米国特許出願公開第２００９／００３５３４２号公報（特許文献２６）、米国特許出願公開第２０１２／０１８３６７４号公報（特許文献２７）、米国特許出願公開第２００７／０２５４０４４号公報（特許文献２８）、米国特許出願公開第２０１３／０１６４３３４号公報（特許文献２９）、米国特許出願公開第２０１２／０２４０７２８号公報（特許文献３０）、米国特許第４，８５６，５０４号明細書（特許文献３１）、米国特許出願公開第２００２／００２２０５０号公報（特許文献３２）、米国特許出願公開第２００４／０１２０９２１号公報（特許文献３３）、米国特許第６，７９７，８５６号明細書（特許文献３４）、米国特許出願公開第２００６／０００３６４９号公報（特許文献１８）、米国特許第６，０２０，０４７号明細書（特許文献３５）、米国特許出願公開第２００５／００５８７１１号公報（特許文献３６）、米国特許出願公開第２０１１／０１３５７０２号公報（特許文献３７）、米国特許出願公開第２００５／０１４８４９０号公報（特許文献３８）、米国特許出願公開第２００８／０１３２４３８号公報（特許文献３９）、米国特許出願公開第２００３／０２０３００９号公報（特許文献４０）、米国特許出願公開第２０１０／０１９０００４号公報（特許文献１５）、米国特許第５，５９９，５８５号明細書（特許文献４１）、及び米国特許出願公開第２００７／００４４８０１号公報（特許文献１６）。
【００５１】
ｂ．止血薬
止血薬もまた、本発明の外傷性創傷ドレッシングシステムでの使用が考えられ、血流損失防止及び／または凝固の恩恵を得るために止血薬を用いることができる。有用な止血薬は、ポリアクリル酸ポリマー、改質粘土及び、ポリアクリル酸ポリマーマトリックス中のＣａＣｌ２を含む。これら及び他の止血薬の使用については、以下の文献にさらに実証されかつ説明されており、これらの文献は全て、本明細書と矛盾しない範囲で、引用を以って本明細書の一部となす：米国特許第７，３３５，７１３号明細書（特許文献４２）、及び米国特許第６，８２２，１３５号明細書（特許文献４３）。
【００５２】
ｃ．毒素隔離剤（Toxin Sequestration Agent）
毒素隔離剤もまた、本発明の外傷性創傷ドレッシングシステムでの使用が考えられる。毒素隔離剤は、改質粘土技術と、創部及び周辺組織との生物毒素相互作用を低下させるかまたはなくす任意の他の薬剤とを含む。これら及び他の毒素隔離剤の使用については、以下の文献にさらに実証されかつ説明されており、これらの文献は全て、本明細書と矛盾しない範囲で、引用を以って本明細書の一部となす：米国特許第６，５５１，６０７号明細書（特許文献４４）、米国特許第６，５２１，２４１号明細書（特許文献４５）、米国特許第６，４８５，７３３号明細書（特許文献４６）、米国特許第６，５１７，８４８号明細書（特許文献４７）、及び米国特許第８，１１０，２１５号明細書（特許文献４８）。
【００５３】
ｄ．鎮痛薬
鎮痛薬は公知であり、当分野で既知の任意の適切な局所性または全身性の鎮痛薬を本発明の外傷性創傷ドレッシングシステムにおいて用いることができる。適切な例には、リドカイン、ベンゾカイン、またはプリロカインが含まれるが、これらに限定されるものではない。
【００５４】
ｅ．デブリードマン用薬
本発明の外傷性創傷ドレッシングシステムは、１若しくは複数のデブリードマン用薬の使用も考慮する。デブリードマン用薬を使用することによって、救護所に到着次第すぐにデブリードマンを促進することができる。そのようなデブリードマン用薬群は、構造化界面活性剤技術と、創部及び周辺組織の洗浄及びデブリードマンを可能にする薬剤とを含む。これら及び他のデブリードマン用薬の使用については、以下の文献にさらに実証されかつ説明されており、これらの文献は全て、本明細書と矛盾しない範囲で、引用を以って本明細書の一部となす：米国特許第７，２６８，１０４号明細書（特許文献４９）、米国特許第７，６６６，８２４号明細書（特許文献５０）、米国特許第８，５４５，９５１号明細書（特許文献５１）、及び米国特許第６，７６４，９８８号明細書（特許文献５２）。
【００５５】
ｆ．改質粘土
本発明の外傷性創傷ドレッシングシステムは、改質粘土の使用も考慮する。改質粘土の使用については、以下の文献にさらに実証されかつ説明されており、これらの文献は全て、本明細書と矛盾しない範囲で、引用を以って本明細書の一部となす：米国特許第６，５５１，６０７号明細書（特許文献４４）、米国特許第６，５２１，２４１号明細書（特許文献４５）、米国特許第６，５１７，８４８号明細書（特許文献４７）、及び米国特許第６，４８５，７３３号明細書（特許文献４６）。いくつかの実施形態では、本発明の粘土は、有機親和改質粘土または非有機親和改質粘土であってよい。有機親和改質粘土とは、天然材料の表面に比較的疎水性の材料を加えることによって、天然に存在する電荷を著しく減少させたものを意味する。例えば、粘土の変性は、フェノール、第４級アンモニウム、メタクリル酸メチル化合物による誘導体化を含む様々な技術を用いて実現されている。例えば、本発明の外傷性創傷ドレッシングの有機親和改質粘土成分を作製する際に用いることができる第４級アンモニウム化合物は、１つか２つの長鎖置換基、例えば１４〜２０炭素原子と、２つか３つの短鎖置換基、例えばメチル基とを有し得る。１つの特に適切な第４級アンモニウム化合物は、ジメチル二水素化牛脂アンモニウムクロリドである。牛脂は、１８炭素原子を含むステアリン酸の大部分を含んでいるので、結果として得られる粘土は、クオタニウム１８粘土、例えば、クオタニウム１８ベントナイトやクオタニウム１８ヘクトライトと呼ばれることが多い。そのような有機親和性粘土の組成及び作製は公知である。一実施形態では、本発明に用いられる有機親和改質粘土は、クオタニウム１８ベントナイトである。その一方で、１価及び２価の陽イオン、例えば、リチウム、ナトリウムまたはカリウムなどの無機対イオンを付加するなどの他の若干の処理変更によって、非有機親和改質粘土が形成される。
【００５６】
２．液体
生物活性粉体成分を含むことに加えて、本発明の外傷性創傷ドレッシングシステムは、液体成分も含む。外傷性創傷ドレッシングシステムを用いて創傷部位を被覆する前に、本発明の外傷性創傷ドレッシングのラップの中央に位置する易壊性アンプルまたは任意の他の適切な格納容器内に生物活性液体を収容しておくことができる。ラップを創傷部位に適用する前にラップに液体を染み込ませることができるように、アンプルまたは他の格納容器を破壊するかまたは別な方法で開封することができる。
【００５７】
一実施形態では、被治療創部への生物活性粉体の放出及び適用を容易にするために、キャニスタのツイストキャップを開けたときに液体を放出させることができる。液体は、止血薬、抗菌薬、生物毒素抑制薬、鎮痛薬、デブリードマン用薬、及び酸素発生のための前駆体（例えば、過酸化物などの反応物質）のうちの１つ以上を含むことができる。止血薬、抗菌薬、生物毒素抑制薬、鎮痛薬、及びデブリードマン用薬については、生物活性粉体に関して既に説明した。いくつかの実施形態では、液体成分は特定の原料のための生体適合性担体を含み得ると考えられる。例えば、１若しくは複数の原料を、液体に溶け込ませたり含めたりすることができる生体適合性担体に取り入れるか、生体適合性担体と一体化させるか、生体適合性担体に加えることができ、かつ生体適合性担体自体に生物活性特性を持たせることができる。
【００５８】
アンプル内に存在する液体の主な機能は、創傷部位に酸素を供給すること、創傷部位における感染症を最小限に抑えること及び、後で創傷部位の迅速かつ完全なデブリードマンを可能にすることである。一実施形態では、液体は、ＦＤＡ認証済み原料を用いて製剤化することができ、過酸化水素（３．３％過酸化水素など）、カチオン性界面活性剤、安定剤、増粘剤、及び防腐剤のうちの１つ以上を含むことができる。液体組成物は、局所麻酔薬などの鎮痛薬及び止血薬を含むこともできる。液体の様々な成分を下表２に示す。
【表２】
0006554474.tif 000003
【００５９】
３．ラップ
生物活性粉体成分及び生物活性液体成分を含むことに加えて、本発明の外傷性創傷ドレッシングシステムは、ラップも含む。ラップまたはドレッシングは、吸水性を有することができ、かつ圧力を加えることによって創傷部位を固定しかつ少量の出血を最小限に抑えることによる圧迫を強化する利益をもたらすような弾性特性を有することができる。一実施形態では、ラップは不織布複合材料の形態をとることができる。上記したように、健常組織上に最初にラップを配置することを容易にするために、ラップの一端に粘着性細長片を提供することができる。一実施形態では、ラップに金属ナノ粒子（例えば銀ナノ粒子）を含浸させることができる。金属ナノ粒子は、易壊性アンプル破壊時に導入される酸素前駆体液体がラップと接触したときに酸素を発生させるための酸素触媒として機能することができるが、これについての詳細は後述する。別の実施形態では、酸素触媒は、例えば、炭酸塩（例えば重炭酸ナトリウム）、銅化合物、カタラーゼ、ペルオキシダーゼ、二酸化マンガン、ヨウ化物、またはヨウ化カリウムなどの、任意の他の適切な酸素触媒であってよい。
【００６０】
弾性ラップは、ライクラ（登録商標）織布と同様の特性を提供しかつ不織布材料の耐久性及びコストを有する多層不織布複合材料であってよい。ラップの構成要素を図３に示す。例えば、ラップ１０２は、皮膚または粘膜に接触する内側吸収層１０７と、外側保護層１１０とを含む不織布複合材料であり得る。ここで、ラップ１０２を創傷部位に適用すると、吸収層１０７は創傷部位に接触し、外側保護層１１０は外部環境にさらされる。さらに、ラップ１０２は、通気性バリア層１０８及び弾性層１０９を含むこともできる。さらに、上記したように、ラップを変換過程において金属ナノ粒子（例えば銀ナノ粒子）で処理することができ、また、戦場で使用するのに最適になるようにこの材料の機能を調整するべく様々な界面活性剤などでラップを処理することもできる。
【００６１】
本発明の外傷性創傷ドレッシングシステムに含めることができる様々なラップ１０２の構成要素を下表３に示す。
【表３】
0006554474.tif 000004
【００６２】
外側保護層１１０は、被覆領域が調整可能であり、引張強度並びに引き裂き抵抗及び穿刺抵抗を与えることができる。ラップは、ウェブの弾性成分に固有の収縮力に起因して、調節可能なレベルの圧迫力を与えることができる。複合材料は、出血を抑え、負傷した肢部を物理的に保護し、損傷した組織を保護するために、快適性及び適合性を提供する。外側保護層１１０はさらに、サイズ排除による固体粒子浸透の防止及び細菌の防御を行い、環境からの感染症のリスク及び創部から周辺領域の細菌の拡散を減らす。
【００６３】
その一方で、皮膚に接触するラップの内側吸収層１０７は、創傷部位に隣接して配置されるラップの層であり、最適な空気及び水蒸気輸送を提供して快適性及び温度管理を実現する一方で、少量の出血の制御及び創傷の滲出液管理のために吸収性を提供する。易壊性アンプルからラップに存在し得る捕捉金属ナノ粒子（例えば銀ナノ粒子）への液体過酸化水素の拡散を向上させるために、複合材料の吸収層１０７を界面活性剤でコーティングすることができる。界面活性剤コーティングはまた、滲出液を吸水性コアに直接移動させることを可能にする。さらに、内側吸収層１０７を皮膚や粘膜に貼り付かないように調整することができる。
【００６４】
外側保護層１１０及び内側吸収層１０７を組み合わせることにより、最終的に、皮膚及び粘膜に対して柔らかく、リントフリーで、刺激性のない感触を与えることができる。さらに、外側保護層１１０及び内側吸収層１０７も、両層間に配置された任意の層も、金属ナノ粒子（例えば銀ナノ粒子）を含浸させることができ、金属ナノ粒子は、ラップ１０２が創傷部位に適用される前に導入される液体前駆体（例えば、過酸化物などの反応物質）から酸素を発生させるための触媒として用いることができることを理解すべきである。さらに、銀ナノ粒子は、そのような層において使用される場合には、上記したような微生物汚染からのさらなる保護を提供する。ラップ１０２にナノ粒子が捕捉された位置において、過酸化水素と銀との触媒反応が生じる。抗菌作用のために放出される銀は、銀ナノ粒子の溶解速度設計に起因して、銀皮症を伴う場合よりも低いレベルにある。
【００６５】
ラップ１０２及びその構成要素については、以下の文献にさらに実証されかつ説明されており、これらの文献は全て、本明細書と矛盾しない範囲で、引用を以って本明細書の一部となす：米国特許第８，４７５，５６０号明細書（特許文献５３）、米国特許第８，２９３，９６５号明細書（特許文献５４）、米国特許第７，６４２，３９７号明細書（特許文献５５）、米国特許第７，４２２，７１２号明細書（特許文献５６）、米国特許第５，０３０，３７５号明細書（特許文献５７）、米国特許出願公開第２００２／０１１１５７６号公報（特許文献５８）、米国特許出願公開第２００３／０１２７７６７号公報（特許文献５９）、米国特許出願公開第２００７／０１４１１３０号公報（特許文献６０）、米国特許第６，３４８，２５８号明細書（特許文献６１）、米国特許第４，７９８，６０３号明細書（特許文献６２）、米国特許第６，１７２，２７６号明細書（特許文献６３）、米国特許第６，６２７，５６４号明細書（特許文献６４）、米国特許出願公開第２００１／００３１９３８号公報（特許文献６５）、米国特許出願公開第２０１４／０２７６５１３号公報（特許文献６６）、米国特許出願公開第２００７／０００３６０３号公報（特許文献２１）、米国特許出願公開第２０１２／０３２２９０３号公報（特許文献２２）、米国特許出願公開第２００２／０００６８８７号公報（特許文献２３）、米国特許出願公開第２００４／００１０２１５号公報（特許文献２４）、米国特許出願公開第２００７／０２９３８００号公報（特許文献２５）、米国特許出願公開第２００９／００３５３４２号公報（特許文献２６）、米国特許出願公開第２０１２／０１８３６７４号公報（特許文献２７）、米国特許出願公開第２００７／０２５４０４４号公報（特許文献２８）、及び米国特許出願公開第２０１０／０１９０００４号公報（特許文献１５）。
【００６６】
４．酸素発生
本発明の外傷性創傷ドレッシングシステムの別の特徴は、ラップ内で酸素を発生させるとともにその後引き続きこの酸素を創部及び周辺組織に運搬する能力である。
【００６７】
ヒトの皮膚の酸素化の必要性は、通常は、周囲空気からの直接的な酸素取り込みと、血管系からの組織酸素化との組合せによって満たされる。創傷治癒過程の全ての段階において溶存酸素は不可欠である。組織酸素化が不十分であると、正常に治癒しない場合がある。慢性創傷の酸素圧は５〜２０ｍｍＨｇであり、健常組織の酸素圧３０〜５０ｍｍＨｇと比較して著しく低酸素である。治癒しつつある組織では、生物学的エネルギー生成、感染症に対する抵抗、コラーゲン合成、血管形成、細胞遊走及び細胞増殖のための物質として、酸素が必要とされる。さらに、酸素は、細胞運動を開始し、いくつかの炎症誘発性及び血管新生増殖因子の発現を増強するために、シグナル伝達分子としても機能する。ヒトの皮膚においては、十分な酸素供給は、血液による適切な酸素輸送と空気からの直接的取り込みとのバランスである。したがって、創部への酸素運搬量は、組織の血液灌流、毛細血管密度、動脈血酸素分圧（poxygen）、血中ヘモグロビン濃度、局所的な酸素消費量を含む複数の因子によって決まる。酸素は組織に蓄えられておらず、加齢及び糖尿病を含むいくつかの全身症状においては、酸素の供給が危ぶまれかねない。その結果として、損傷時に、治癒しつつある組織が、適切な治癒及び修復のための酸素要件を絶えず満たすように素早く変化することが不可欠である。創傷組織は高酸素レベルを要求するが、創傷治癒過程の異なる段階において創傷の全酸素必要量は異なる。
【００６８】
健常組織は、酸素必要量が増加したときに、酸素運搬量を調節できることが必要である。ヒトの皮膚においては、酸素運搬は、空気及び血管系からの直接的な取り込みによる拡散によって生じ、ここで、酸素は高濃度領域から低濃度領域へ移動する。皮下組織への十分な酸素供給は、十分に大きな流量での血液を通しての適切な酸素輸送に大きく依存している。組織損傷中には、血管破裂のせいで血液供給が減少する。結果として、酸素運搬量が著しく増加する。創傷組織には、損傷を修復して血液供給を回復させるために必要な手段が全て備わっているが、このプロセスを損ない、長時間の酸素欠乏や慢性的な組織の低酸素状態をもたらし得るような、内因性及び外因性の要因が存在する。組織修復の成功には十分な酸素供給が不可欠であるので、創傷組織が酸素必要量を満たす能力の低下は、病気に起因する可能性があり、細胞死及び組織壊死を招く。
【００６９】
したがって、創傷ケアのための酸素治療の目的は、治癒しつつある組織の酸素必要量を満たすこと及び酸素濃度を約４０ｍｍＨｇの酸素圧付近に維持することである。約４０ｍｍＨｇの酸素圧は、健康的で潅流良好な組織における平均酸素圧であることが分かっている。酸素治療の一部としての酸素の運搬は、全身的な高圧酸素（ＨＢＯ）の投与とともに、１９６０年代から創傷治癒のための効果的な療法として臨床的に用いられてきた。
【００７０】
何年にもわたり、科学が進歩することにより創傷治癒のための酸素治療が向上してきた。ここ数年では、局所投与によるＨＢＯ療法よりも速くかつ効率的なやり方で、創傷組織に酸素を局所的に投与することを目標とする新たな酸素運搬技術が現れた。臨床結果は、創傷組織への酸素の局所運搬が、上皮化の速度を向上させ、細胞外マトリックスタンパク質の合成を誘導し、血管新生因子の発現を亢進させ得ることを示していた。局所的に運搬される酸素は、創傷組織を標的にするだけなので、結果として、高圧を伴わず、全身的な酸素中毒が生じる潜在的なリスクを負わないことを理解されたい。
【００７１】
米国特許第７，１６０，５５３号明細書（特許文献６７）及び米国特許第８，６７９，５２３号明細書（特許文献６８）に記載されており、かつＯＸＹＧＥＮＥＳＹＳ（登録商標）という名称で販売されているような、長期間にわたって創部に溶存酸素を運搬することができる創傷ドレッシング製品が既に開発されている。この製品では、反応物質（すなわち酸素前駆体）を酸素触媒と混合させることによって酸素が生成される。本発明において用いられる酸素発生システムは、図４に示すように、反応物質としての過酸化水素（２Ｈ２Ｏ２）及び触媒としての銀ナノ粒子Ａｇを用いることにより水（２Ｈ２Ｏ）及び酸素（Ｏ２）を生成することができるが、本発明においては、米国特許第７，１６０，５５３号明細書（特許文献６７）及び米国特許第８，６７９，５２３号明細書（特許文献６８）において説明されているような任意の他の適切な反応物質／触媒の組合せも考えられる。ラップの表面上の銀ナノ粒子及び放出された銀イオンはともに、過酸化水素を酸素に変換する働きをする。この過程の例は、取り入れられた過酸化水素をポリアクリル酸ポリマーに触媒転換することによって発生させた酸素を、図５に示すように、８０時間以上にわたって放出させることができることを示している。過酸化水素反応物質は、酸素前駆体として作用する。他の有用な酸素前駆体は、過酸化マンニトール、過酸化尿素、有機過酸化物、及びそれらの組合せを含む。その一方で、金属ナノ粒子（例えば、銀ナノ粒子）に加えて、他の適切な酸素触媒は、炭酸塩（例えば、重炭酸ナトリウム）、銅化合物、カタラーゼ、ペルオキシダーゼ、二酸化マンガン、ヨウ化物、ヨウ化カリウムなどを含むことができる。
【００７２】
そのような科学的性質は、本発明の外傷性創傷ドレッシングシステムに用いられる。本システムが利用可能な状態にされると、酸素が生成され、該酸素は、創傷と生物活性粉体によって形成されたハイドロゲルとの間に捕捉されることになる。創傷部位上に生物活性粉体をコーティングまたはスプレーすることによってもたらされるハイドロゲルの物質設計及びコンフォーマルカバーの設計により、酸素は長期間にわたって創部に運搬される。ここまで主として銀ナノ粒子について説明してきたが、当然のことながら、任意の他の適切な触媒を本発明の外傷性創傷ドレッシングシステムにおいて用いることもできる。例えば、酸素を発生させるために用いられる触媒は、銅、亜鉛、ニッケル及び金を含む他の金属ナノ粒子のうちの１つ以上であり得る。銀ナノ粒子を含む銀を触媒として使用することは、上記したように、さらなる抗菌の目的にも適う。
【００７３】
本発明の創傷ドレッシングシステムは、溶存酸素及び銀の両者を放出しかつ送達することができるポリアクリルアミド系マトリックスの使用も考慮する。当該マトリックスは、コンフォーマブルなゲルパッチまたは発泡ゲルとして入手可能であり、ＯＸＹＧＥＮＥＳＹＳ（登録商標）という商標名で販売されている。ここで用いられる他のポリアクリル酸系ハイドロゲルマトリックスは、溶存酸素、銀、及び生物活性物質の運搬を実証する。マトリックスは、創傷表面に接触すると、より高くかつより一貫した濃度の溶存酸素を数時間にわたって創面に運搬させるような、粘性ハイドロゲルを形成することができる。
【００７４】
ポリアクリル酸系ゲルを流動性粉体に変換し、乾燥粉体の形で創傷部位に適用することもできる。この粉体の優れた利点は、ほとんどの創傷の形状及び深さに適用できる点と、創傷の滲出液を吸収し、創面上にハイドロゲルシールを形成することによって、フレキシブルなバリアとしてすぐに機能し始める点である。このハイドロゲルはまた、創面における良好な湿潤バランスを維持する。ハイドロゲル粉体も、創傷保護及び治癒に関して既に説明したように、溶存酸素、抗菌薬及び／または他の生物活性物質を運搬することができる。創傷ドレッシングシステムを使用後に除去したら、自重送り生理食塩水により創傷領域をそっと洗浄することによって、粉体状ハイドロゲルコーティングを容易に除去することができる。
【００７５】
本明細書に記載の酸素発生技術の利点は、酸素を、気液界面を既に通過した形態で（血漿中に見られる非結合遊離酸素として）創部に連続的に供給することができ、それゆえに酸素を細胞ですぐに消費できるようにしている点である。この酸素発生技術は、厚さ７００μｍの生存ヒト皮膚を越えて溶存酸素を経皮的に運搬するのに効果的であることが証明されており、高圧ガス酸素療法で観察される場合よりも２倍の深さの透過酸素レベルを達成する。さらに、この技術は、創傷治癒過程の様々な期（フェーズ）に良い影響を及ぼすことが示された。具体的には、この酸素発生技術は、虚血性ブタ創傷における細菌の創部への負担並びに皮膚及び皮下の炎症を減少させることが分かった。そのような酸素発生技術は、真皮線維症及び壊死を減少させることもできる。さらに、この酸素発生技術は、慢性静脈うっ血性潰瘍、裂開外科的閉鎖、褥瘡及び皮膚弁に適用された場合に、治癒を促進することができる。さらに、この酸素発生技術創傷ドレッシングシステムによる溶存酸素の運搬は、炎症性サイトカイン並びにマトリクスメタロプロテイナーゼ１及び１２を下方制御することに加えて、コラーゲンタイプＩ、エラスチン及びフィラグリンの増加を促進することができる。
【００７６】
この酸素発生技術については、以下の文献にさらに実証されかつ説明されており、これらの文献は全て、本明細書と矛盾しない範囲で、引用を以って本明細書の一部となす：米国特許第８，６７９，５２３号明細書（特許文献６８）、米国特許第７，１６０，５５３号明細書（特許文献６７）、米国特許第７，２３５，２６３号明細書（特許文献６９）、及び米国特許第６，８８７，４９６号明細書（特許文献７０）。
【００７７】
本明細書に開示されている寸法及び値は、記述されている正確な数値に厳密に限定されるものと理解されるべきではない。むしろ、他に特に規定がなければ、各寸法は、記述されている値と、当該値近辺の機能的に同等の範囲の両者を意味するものとする。例えば、「４０ｍｍ」と開示されている寸法は、「約４０ｍｍ」を意味するものとする。
【００７８】
詳細な説明において引用されている全ての文献は、関連する部分において、引用を以って本明細書の一部となす。しかしながら、いずれの文献についても、その引用を以って、当該文献が本発明に対する先行技術であると認めたとは解釈されるべきではない。本明細書の或る用語の意味または定義が引用文献における当該用語の意味または定義と矛盾する場合には、本明細書において当該用語に与えられた意味または定義が優先する。
【００７９】
本発明の特定の態様について図示及び説明してきたが、本発明の趣旨及び範囲から逸脱することなく様々な他の変形形態及び変更形態が可能であることは、当業者には明らかであろう。したがって、本発明の範囲内の変形形態及び変更形態は全て、添付の特許請求の範囲に含まれるものとする。
【図１】
0006554474.tif 000005
【図２（ａ）】
0006554474.tif 000006
【図２（ｂ）】
0006554474.tif 000007
【図２（ｃ）】
0006554474.tif 000008
【図２（ｄ）】
0006554474.tif 000009
【図２（ｅ）】
0006554474.tif 000010
【図２（ｆ）】
0006554474.tif 000011
【図２（ｇ）】
0006554474.tif 000012
【図３】
0006554474.tif 000013
【図４】
0006554474.tif 000014
【図５】
0006554474.tif 000015
【図６】
0006554474.tif 000016